(57)【要約】  【課題】良好な受信特性を維持しながら、より一層コンパクトで小型機器への組み込みを容易にしたアンテナ装置を提供する。  【解決手段】１／４波長の長さを持つ第１のアンテナ素子１１と、１／４波長の長さを持つ第２のアンテナ素子１２と、第１および第２のアンテナ素子１１，１２の各給電端１１ｃ，１２ｃにまたがって設けられた９０°移相ライン１３と、第１および第２のアンテナ素子１１，１２のいずれか一方の給電端に電気的に接続された給電線１４とから構成する。アンテナ素子１１，１２と、移相ライン１３と、給電線１４とが給電点で結合され、アンテナの根元部で９０°位相差の信号が合成される構造となっているので、アンテナ装置１がコンパクトになり、小型機器への組み込みが容易となる。【選択図】  図１
2005159732.tif 000002
【特許請求の範囲】
【請求項１】
１／４波長の長さを持つ第１のアンテナ素子と、
１／４波長の長さを持つ第２のアンテナ素子と、
前記第１および第２のアンテナ素子の各給電端にまたがって設けられた９０°移相ラインと、
前記第１および第２のアンテナ素子のいずれか一方の給電端に電気的に接続された給電線と、
を備えたことを特徴とするアンテナ装置。
【請求項２】
請求項１に記載のアンテナ装置において、
前記９０°移相ラインと給電線とはプリント基板に実装されており、
前記第１および第２のアンテナ素子は、前記プリント基板の外縁部に沿って形成された配線パターンにより構成されていることを特徴とするアンテナ装置。
【請求項３】
請求項１に記載のアンテナ装置において、
前記９０°移相ラインと給電線とはプリント基板に実装されており、
前記第１および第２のアンテナ素子は、ホイップアンテナを構成する可撓性の素子からなることを特徴とするアンテナ装置。
【請求項４】
請求項２または請求項３に記載のアンテナ装置において、
前記プリント基板上にはコネクタが設けられているとともに、前記９０°移相ラインおよび給電線には前記コネクタと着脱自在なプラグが装備されており、
前記第１および第２のアンテナ素子と、前記９０°移相ラインおよび給電線とを前記コネクタを介して接続するようにしたことを特徴とするアンテナ装置。
【請求項５】
請求項１ないし請求項４のいずれかに記載のアンテナ装置において、
前記９０°移相ラインは同軸ケーブルからなり、当該ケーブルの長さＬは、同軸短縮率をβ、電波の波長をλとしたとき、Ｌ＝β・λ／４に選定されていることを特徴とするアンテナ装置。
【請求項６】
請求項１ないし請求項５のいずれかに記載のアンテナ装置において、
前記第１および第２のアンテナ素子の形状をＬ字形としたことを特徴とするアンテナ装置。
【請求項７】
船舶に搭載され、親機から送られて来る魚群探知情報を受信する魚群表示装置であって、前記魚群探知情報を受信する受信手段と、前記受信手段が受信した魚群探知情報に基づいて魚群映像を表示する表示手段とを備え、
前記受信手段は、請求項１ないし請求項６のいずれかに記載のアンテナ装置からなることを特徴とする魚群表示装置。
【発明の詳細な説明】
【技術分野】
【０００１】
本発明は、例えば船舶に搭載される魚群表示装置等に用いられるアンテナ装置に関する。
【背景技術】
【０００２】
アンテナには用途に応じて各種のものがあるが、ホイップアンテナのような移動体用アンテナにおいては、電波の干渉に基因して電界強度が落ち込むフェージング現象や、アンテナの方向により電界強度が変化する指向性の問題があり、安定した受信を行う上でこれらが障害となる。この対策として、従来からダイバーシティ方式が知られている。例えば、２重受信ダイバーシティ方式は、２系統の受信装置を備え、受信状態の良い方の受信装置で受信を行う方式である。また、空間ダイバーシティ方式は、１つの受信装置に対して２本のアンテナを距離を隔てて設け、受信状態の良い方のアンテナを利用して受信を行う方式である。ダイバーシティ方式によるアンテナ装置に関しては、例えば下記の特許文献１に記載されている。
【特許文献１】特開２００３−２４９８０９号公報
【発明の開示】
【発明が解決しようとする課題】
【０００３】
しかしながら、２重受信ダイバーシティ方式の場合は、受信装置が２系統必要であるため、高価になるという難点がある。一方、空間ダイバーシティ方式は、受信装置は１つでよいが、アンテナ間の距離を長く（例えば１／４波長程度）とる必要があるので、アンテナの設置スペースが増大し、小型機器への組み込みが制約されるという欠点がある。
【０００４】
また、上記の特許文献１には、１対のアンテナ素子をλ／８〜１．６λ／８（λは電波の波長）の間隔で配置し、これらのアンテナ素子に２分配器により所定の位相差で給電して前後方向に１８０°ビーム指向性を持たせることにより、フェージングによる受信電界の低下を軽減するとともに、アンテナ素子間の距離を短縮したダイバーシティアンテナ装置が開示されている。しかしながら、このアンテナ装置では、アンテナ素子間の距離は短くなるが、各アンテナ素子を同軸ケーブルにより分配器と接続する必要があるため、このケーブルのためのスペースが不可避となり、アンテナ装置の小型化には限界がある。
【０００５】
本発明は、上記課題を解決するものであって、その目的とするところは、良好な受信特性を維持しながら、より一層コンパクトで小型機器への組み込みを容易にしたアンテナ装置を提供することにある。
【課題を解決するための手段】
【０００６】
本発明に係るアンテナ装置は、１／４波長の長さを持つ第１のアンテナ素子と、１／４波長の長さを持つ第２のアンテナ素子と、第１および第２のアンテナ素子の各給電端にまたがって設けられた９０°移相ラインと、第１および第２のアンテナ素子のいずれか一方の給電端に電気的に接続された給電線とから構成される。
【０００７】
このようにすれば、９０°移相ラインによって、一方のアンテナ素子から取り出される信号と、他方のアンテナ素子から取り出される信号との間で９０°の位相差が生じ、これらの信号を合成した出力が給電線から取り出されるので、アンテナ素子間の距離を長くしなくても、指向性が改善され電界強度の低下しない良好な受信特性が得られる。また、９０°移相ラインを各アンテナ素子の給電端にまたがって設け、１対のアンテナ素子、９０°移相ライン、および給電線を給電点で結合した構造とすることで、アンテナの根元部で９０°位相差の信号を合成することができるので、アンテナ素子と信号合成器との間をケーブルで接続する必要がなくなる。この結果、アンテナ装置全体が非常にコンパクトになって、小型機器への組み込みが容易となる。
【０００８】
本発明の実施形態においては、９０°移相ラインと給電線とをプリント基板に実装し、第１および第２のアンテナ素子を、プリント基板の外縁部に沿って形成された配線パターンにより構成することができる。これによると、アンテナ素子をプリント基板の一部として形成することができるので、アンテナ素子として特別な部材が不要となり、組立工数およびコストを低減できるとともに、アンテナ素子の設置スペースを削減して、より一層の小型化が可能となる。
【０００９】
また、上記実施形態に代えて、第１および第２のアンテナ素子を、ホイップアンテナを構成する可撓性の素子から構成してもよい。これによると、プリント基板の面積が少なくて済むとともに、アンテナ素子が可撓性を有することから、その配置に自由度を持たせることができる。
【００１０】
また、本発明の実施形態においては、上記プリント基板上にコネクタを設けるとともに、９０°移相ラインおよび給電線にコネクタと着脱自在なプラグを装備し、第１および第２のアンテナ素子と、９０°移相ラインおよび給電線とをコネクタを介して接続するようにしてもよい。これによると、９０°移相ラインと給電線とをアンテナ素子に簡単に接続することができ、組み立て作業が容易となる。
【００１１】
また、本発明の実施形態においては、９０°移相ラインは同軸ケーブルからなり、当該ケーブルの長さＬは、同軸短縮率をβ、電波の波長をλとしたとき、Ｌ＝β・λ／４に選定される。これによると、通常の同軸ケーブルにより９０°移相ラインを構成でき、同軸短縮率を考慮してケーブル長を上記のように選定することで、正確な９０°位相差を持った信号を合成することができる。
【００１２】
また、本発明の実施形態においては、第１および第２のアンテナ素子の形状をＬ字形とするのが好ましい。これによると、アンテナ素子を真直に延ばす場合に比べて高さが抑制されるので、機器内にアンテナ装置をコンパクトに収納することができる。
【００１３】
また、本発明に係る魚群表示装置は、船舶に搭載され、親機から送られて来る魚群探知情報を受信する魚群表示装置であって、魚群探知情報を受信する受信手段と、受信手段が受信した魚群探知情報に基づいて魚群映像を表示する表示手段とを備える。そして、上記受信手段は、本発明のアンテナ装置から構成される。本発明のアンテナ装置は、上述したようにコンパクトでありながら良好な受信特性を有しているため、これを内部に組み込むことにより、小型で、鮮明な映像を安定して表示できる魚群表示装置が得られる。
【発明の効果】
【００１４】
本発明によれば、良好な受信特性を維持しながら、より一層コンパクトで小型機器への組み込みを容易にしたアンテナ装置を得ることができる。
【発明を実施するための最良の形態】
【００１５】
図１は、本発明に係るアンテナ装置の原理図を示している。図において、アンテナ装置１は、１対のアンテナ素子１１，１２と、９０°移相ライン１３と、給電線１４とを備えている。アンテナ素子１１（第１のアンテナ素子）は、垂直片１１ａと、これより短い水平片１１ｂとからなるＬ字形の素子であって、全体の長さＬ１は１／４波長に設定されている。すなわち、受信電波の波長をλとしたとき、Ｌ１＝λ／４の関係が成立する。また、アンテナ素子１２（第２のアンテナ素子）も、垂直片１２ａと、これより短い水平片１２ｂとからなるＬ字形の素子であって、全体の長さＬ２は１／４波長に設定されている。すなわち、受信電波の波長をλとしたとき、Ｌ２＝λ／４の関係が成立する。これらの１対のアンテナ素子１１，１２は、左右対称に配置されていて、垂直片１１ａ，１２ａは略平行になっており、また、水平片１１ｂ，１２ｂはそれらの先端が所定間隔Ｄを隔てて対向している。
【００１６】
９０°移相ライン１３は同軸ケーブルからなり、その一端から導出された芯線１５ａは、アンテナ素子１１の給電端１１ｃに電気的に接続されており、他端から導出された芯線１５ｂは、アンテナ素子１２の給電端１２ｃに電気的に接続されている。この結果、９０°移相ライン１３は、１対のアンテナ素子１１，１２の各給電端１１ｃ，１２ｃにまたがって設けられることになる。給電線１４も同軸ケーブルからなり、その一端から導出された芯線１６は、アンテナ素子１１の給電端１１ｃに電気的に接続されている。また、９０°移相ライン１３を構成する同軸ケーブルのシールド線１７ａ，１７ｂと、給電線１４を構成する同軸ケーブルのシールド線１８とは、導線１９により電気的に接続されている。なお、図１では、給電線１４の芯線１６をアンテナ素子１１の給電端１１ｃに接続しているが、この芯線１６はアンテナ素子１２の給電端１２ｃに接続してもよい。
【００１７】
９０°移相ライン１３の長さＬは、同軸短縮率をβ、電波の波長をλとしたとき、Ｌ＝β・λ／４に選定されている。９０°位相差に相当する長さはλ／４であるが、電波の信号は、空気中を伝わる場合と同軸ケーブル中を伝わる場合とで速度が異なり、同軸ケーブル中では伝播速度が遅くなるため、Ｌをλ／４に選定したのでは、正確な９０°位相差を得ることができなくなる。そこで、上記伝播速度の低下分を考慮した同軸短縮率βをλ／４に乗じることにより、正確な９０°位相差を持った信号が得られる。なお、同軸短縮率βは、同軸ケーブルを構成する絶縁材の材質により決まるケーブル固有の値である。
【００１８】
いま、一例として、電波の周波数を４２６．０８ＭＨｚとした場合、電波の速度は３×１０８ｍ／秒であるから、
λ／４＝（３００／４２６．０８）／４＝０．１７６ｍ＝１７．６ｃｍ
となる。したがって、図１において、各アンテナ素子１１，１２の長さは、
Ｌ１＝１７．６ｃｍ
Ｌ２＝１７．６ｃｍ
となり、また、９０°移相ライン１３を構成する同軸ケーブルの同軸短縮率βを０．６７とすると、９０°移相ライン１３の長さは、
Ｌ＝０．６７×１７．６＝１１．８ｃｍ
となる。なお、９０°移相ライン１３の同軸ケーブルのインピーダンスは例えば７５Ωであり、給電線１４の同軸ケーブルのインピーダンスは例えば５０Ωである。
【００１９】
以上のような構成からなるアンテナ装置１において、アンテナ素子１１で受信された信号は、給電端１１ｃから給電線１４に直接送られ、アンテナ素子１２で受信された信号は、給電端１２ｃから９０°移相ライン１３を通って給電線１４に送られる。したがって、アンテナ素子１２から９０°移相ライン１３を経由して取り出される信号は、アンテナ素子１１から直接取り出される信号に対して、９０°の位相差を持っている。そして、給電線１４はこれらの各信号を合成した出力を取り出す。このように、１対のアンテナ素子１１，１２から得られる９０°位相差の信号を合成することによって、アンテナ装置１の前後横方向に指向性を得ることができる。したがって、アンテナ素子１１，１２間の距離を長くしなくても、指向性が改善され、良好な感度特性が得られる。また、１対のアンテナ素子１１，１２と、９０°移相ライン１３と、給電線１４とが給電点で結合された構造となり、アンテナの根元部で９０°位相差の信号が合成されるので、アンテナ素子と信号合成器との間を接続するケーブルが不要となり、アンテナ装置１は全体が非常にコンパクトになって、小型機器への組み込みが容易となる。さらに、アンテナ素子１１，１２の形状をＬ字形としたことにより、アンテナ素子１１，１２を真直に延ばす場合に比べて高さが抑制されるので、機器内にアンテナ装置１をコンパクトに収納することができる。
【００２０】
図２は、アンテナ装置１の具体的な構成例を示した図である。図２において、図１と同一部分には同一符号を付している。２０はプリント基板であって、その表面には外縁部２１に沿って、アンテナ素子１１，１２が銅箔の配線パターンにより形成されている。この配線パターンの幅は、例えば３ｍｍ程度である。また、アンテナ素子１１，１２の内側には、ノイズ対策用の接地ライン２２が同じく銅箔の配線パターンにより閉ループをなすように形成されている。この配線パターンの幅は、例えば２ｍｍ程度である。アンテナ素子１１，１２の配線パターンと、接地ライン２２の配線パターンとの間隔は、例えば３ｍｍ程度である。なお、アンテナ素子１１，１２を構成する配線パターンの長さは、図１で説明したとおり、いずれもλ／４（ここでは１７．６ｃｍ）となっている。
【００２１】
プリント基板２０上には、前述の９０°移相ライン１３および給電線１４とともに、コネクタ２３と受信部２４とが実装されている。９０°移相ライン１３の長さは、図１で説明したとおり、λ／４に同軸短縮率βを乗じた値（ここでは１１．８ｃｍ）となっている。一方、給電線１４の長さは任意である。９０°移相ライン１３の両端には、プラグ２５，２６が装備されており、これらのプラグ２５，２６は、コネクタ２３に対して着脱自在となっている。また、給電線１４の両端にも、プラグ２７，２８が装備されており、プラグ２７はコネクタ２３に対して着脱自在となっており、プラグ２８は受信部２４に対して着脱自在となっている。そして、９０°移相ライン１３の両端のプラグ２５，２６をコネクタ２３に差し込み、給電線１４の一端のプラグ２７をコネクタ２３に差し込むことによって、アンテナ素子１１，１２と、９０°移相ライン１３と、給電線１４とは、破線で示したように、コネクタ２３を介して図１と同様に電気的に接続される。また、給電線１４の他端のプラグ２８を受信部２４に差し込むことによって、アンテナ装置１と受信部２４とが接続され、アンテナ素子１１，１２で受信した信号が、受信部２４から図示しない制御部へ送られる。
【００２２】
上記構成においては、アンテナ素子１１，１２が配線パターンからなり、プリント基板２０の一部として形成されているので、アンテナ素子として特別な部材が不要となる。このため、組立工数およびコストを低減することができるとともに、アンテナ素子の設置スペースを削減できるため、アンテナ装置１を極力小型に製作することができる。また、上記実施形態では、プリント基板２０上にコネクタ２３を設け、このコネクタ２３に９０°移相ライン１３および給電線１４のプラグ２５〜２７を差し込むことにより、アンテナ素子１１，１２と、９０°移相ライン１３および給電線１４とが電気的に接続されるようにしたので、接続を簡単に行うことができ、組み立て作業が容易となる。
【００２３】
図３は、プリント基板の変形例を示す図であって、（ａ）はプリント基板の表側平面図、（ｂ）はプリント基板の裏側平面図である。図３において、図１および図２と同一部分には同一符号を付している。３０はプリント基板であって、図３（ａ）に示す表側の面には、外縁部３１に沿って、アンテナ素子１１，１２が銅箔の配線パターンにより形成されている。また、アンテナ素子１１，１２の内側には、ノイズ対策用の接地ライン３２が同じく銅箔の配線パターンにより形成されている。アンテナ素子１１，１２の長さは、図２の場合と同様に設計されている。また、図３（ｂ）に示す裏側の面にも、アンテナ素子１１，１２と接地ライン３２とが銅箔の配線パターンにより形成されており、これらの配線パターンは、表側の面のそれぞれの配線パターンとスルーホールを介して電気的に接続されている。
【００２４】
図３（ａ）における３２ａは、受信部２４が実装される幅広の実装部であり、接地ライン３２の配線パターンの一部に形成されている。この実装部３２ａは、図３（ｂ）のようにプリント基板３０の裏側にも形成されており、表側と裏側の各実装部３２ａは、スルーホールを介して電気的に接続されている。図３（ａ）における１４ａは、アンテナ素子１１，１２と受信部２４とを接続する給電線であって、アンテナ素子１２の給電端１２ｃから延在して実装部３２ａに至るように、アンテナ素子１２の配線パターンと連続して形成されている。図３（ｂ）における１３は、図２に示した９０°移相ラインであって、その長さは図２の場合と同様に設計されている。なお、図３では図示を省略しているが、プリント基板３０には、アンテナ素子１１，１２の給電端１１ｃ，１２ｃ付近にコネクタが設けられ、図２の場合と同様に、コネクタを介してアンテナ素子１１，１２、９０°移相ライン１３および給電線１４ａが電気的に接続されるようになっている。
【００２５】
図３の構造によると、給電線１４ａが配線パターンにより形成されているため、別部材としての給電線が不要となって、構造がより簡略化され、組立工数も低減することができる。また、受信部２４がアンテナ素子１１，１２の給電端１１ｃ，１２ｃに近接して位置していることから、給電線１４ａの長さが短くてすみ、プリント基板３０の実装効率を上げることができる。
【００２６】
図４は、本発明の他の実施形態を示す図である。図４において、図１ないし図３と同一部分には同一符号を付している。４０はプリント基板であって、このプリント基板４０には、９０°移相ライン１３、給電線１４、コネクタ２３および受信部２４が実装されている。また、図２のプリント基板２０と同様に、プリント基板４０の外縁部４１に沿って、ノイズ対策用の接地ライン４２が銅箔の配線パターンにより形成されている。９０°移相ライン１３や給電線１４の構造については、図２で説明したものと同じであるので、ここでは説明を省略する。
【００２７】
本実施形態では、アンテナ素子１１，１２は、ホイップアンテナを構成する可撓性の素子からなる。具体的には、アンテナ素子１１，１２は、一例として断面積が０．１８〜０．３０ｍｍ２の芯線をビニールで被覆したビニール線から構成される。図１で説明したとおり、アンテナ素子１１，１２の長さは、いずれもλ／４（ここでは１７．６ｃｍ）であり、９０°移相ライン１３の長さは、λ／４に同軸短縮率βを乗じた値（ここでは１１．８ｃｍ）である。アンテナ素子１１，１２の一端はコネクタ２３に接続されており、コネクタ２３に９０°移相ライン１３の両端のプラグ２５，２６と、給電線１４のプラグ２７とを差し込むことによって、アンテナ素子１１，１２と、９０°移相ライン１３と、給電線１４とは、破線で示したように、コネクタ２３を介して電気的に接続される。また、給電線１４のプラグ２８を受信部２４に差し込むことによって、アンテナ装置１と受信部２４とが接続される。一点鎖線で示した５０は、上述したプリント基板４０およびアンテナ素子１１，１２を内蔵する機器のケース、５１はケース５０の内部に複数個設けられた支持部であって、この支持部５１に形成された溝にアンテナ素子１１，１２を嵌合することにより、アンテナ素子１１，１２はケース５０内に位置決めして保持される。
【００２８】
図４の構造によると、アンテナ素子１１，１２がプリント基板４０と別になっていることから、プリント基板４０の面積が少なくてすみ、基板を小型化することができる。また、アンテナ素子１１，１２は可撓性を有しているため、折り曲げが自在であり、内蔵される機器に合わせて、ケース内部の配置に自由度を持たせることができる。
【００２９】
以上説明した各実施形態においては、９０°移相ライン１３および給電線１４を、アンテナ素子１１，１２の垂直片１１ａ，１２ａの間に配置した例を挙げたが、本発明はこれに限定されるものではなく、図５に示すように、９０°移相ライン１３および給電線１４を、垂直片１１ａ，１２ａとは反対側に配置してもよい。また、上記各実施形態では、アンテナ素子１１，１２と給電線１４との結合部、すなわち給電点が下方にあり、アンテナ素子１１，１２の垂直片１１ａ，１２ａが上方にある例を挙げたが、本発明はこれに限定されるものではなく、給電点が上方にあり、アンテナ素子１１，１２の垂直片１１ａ，１２ａが下方になるように設置してもよい。さらに、アンテナ素子１１，１２と、９０°移相ライン１３と、給電線１４との接続にあたっては、上記実施形態に示したようなコネクタ２３やプラグ２５〜２７を用いることなく、半田付け等の手段によりプリント基板上で電気的に接続するようにしてもよい。
【００３０】
図６および図７は、本発明のアンテナ装置の適用例を説明する図であって、図６は遊漁船の概略図、図７は遊漁船に搭載される親機および子機の外観図である。図６において、遊漁船３００には、釣竿３０１と電動リール３０２とが装備されている。３０３は船底に設けられた魚群探知用の超音波送受波器であって、水中へ超音波を送信し、魚群や水底で反射して帰って来るエコーを受信する。１００は親機を構成する魚群探知機本体であって、超音波送受波器３０３が受信したエコーを解析して魚群や水底の映像を表示するとともに、魚群探知情報を無線送信部１０４から子機２００へ送信する。子機２００は魚群表示装置であって、親機１００の無線送信部１０４から送信された魚群探知情報を受信して、魚群映像を表示する。子機２００は各釣竿３０１の近傍にそれぞれ設置されており、釣客はこの子機２００に表示される魚群映像をみながら、電動リール３０２を操作して糸を繰り出したり巻き上げたりする。
【００３１】
親機１００は、図７に示すように、筐体１０１と、この筐体１０１の前面に設けられた表示部１０２と、この表示部１０２と並んで設けられた操作部１０３と、上述した無線送信部１０４とを備えている。１０５は無線送信部１０４に設けられたアンテナである。一方、子機２００は、筐体２０１と、この筐体２０１の前面に設けられた表示部２０２と、この表示部２０２と並んで設けられた操作部２０３とを備えている。そして、子機２００の筐体２０１の内部には、前述した本発明のアンテナ装置１が内蔵されている。子機２００における表示部２０２は本発明の表示手段を構成し、アンテナ装置１は本発明の受信手段を構成する。
【００３２】
上記のような遊漁船３００に搭載される子機２００においては、図８に示すように、筐体２０１からアンテナ２０４が外部へ突出していると、釣竿３０１や電動リール３０２を操作するにあたって、アンテナ２０４が邪魔になる場合があるが、本発明のアンテナ装置１は小型であることから、筐体２０１へ完全に収納することが可能であり、このため、図７のように筐体２０１からアンテナが突出しなくなって、釣竿等の操作の邪魔になるのを回避することができる。また、本発明のアンテナ装置１は良好な受信特性を有しているため、親機１００から受信した魚群の映像を子機２００の表示部２０２に鮮明に安定して表示することができる。
【００３３】
なお、ここでは本発明のアンテナ装置１を子機２００に内蔵した例を挙げたが、親機１００に本発明のアンテナ装置を内蔵してもよく、親機１００と子機２００の両方に本発明のアンテナ装置を内蔵してもよい。さらに、本発明のアンテナ装置１を電動リール３０２に設け、親機１００から受信した魚群探知情報を電動リール３０２に設けられた表示部（図示省略）に表示するようにしてもよい。
【００３４】
また、上記実施形態では、遊漁船に搭載される装置に本発明を適用した例を挙げたが、本発明が遊漁船以外の船舶に搭載される装置に適用が可能なことはいうまでもない。さらに、本発明は、船舶以外の移動体にも適用が可能であり、ひいてはアンテナを備えた通信機器全般に適用することができる。
【図面の簡単な説明】
【００３５】
【図１】本発明に係るアンテナ装置の原理図である。
【図２】アンテナ装置の具体的な構成例を示した図である。
【図３】プリント基板の変形例を示す図である。
【図４】本発明の他の実施形態を示す図である。
【図５】本発明の他の実施形態を示す図である。
【図６】遊漁船の概略図である。
【図７】遊漁船に搭載される親機および子機の外観図である。
【図８】比較例を示す図である。
【符号の説明】
【００３６】
１    アンテナ装置
１１  アンテナ素子
１２  アンテナ素子
１１ｃ，１２ｃ  給電端
１３  ９０°移相ライン
１４  給電線
２０  プリント基板
２３  コネクタ
２５，２６，２７，２８  プラグ
３０  プリント基板
４０  プリント基板
４１  外縁部
１００  親機
２００  子機（魚群表示装置）
２０１  筐体
２０２  表示部
【図１】
2005159732.tif 000003
【図２】
2005159732.tif 000004
【図３】
2005159732.tif 000005
【図４】
2005159732.tif 000006
【図５】
2005159732.tif 000007
【図６】
2005159732.tif 000008
【図７】
2005159732.tif 000009
【図８】
2005159732.tif 000010